(57)【要約】【課題】オイルダンパーにおいて、簡単な構造により減衰力を可変とする。【解決手段】シリンダー２内がピストン３により二つ以上のオイル室５・６に仕切られるオイルダンパー１であって、二つ以上のオイル室５・６を連通可能で、ピストン３の移動に伴って順次閉鎖および／または解放可能な複数のオイル通路７・９ａ・９ｂ・９ｃ・９ｄ・９ｅ・９ｆを備える。具体的には、複数のオイル通路７・９ａ・９ｂ・９ｃ・９ｄ・９ｅ・９ｆに、任意の性能を持つリリーフ弁８・１０をそれぞれ備える。そして、ピストン３のシリンダー２内の中立位置において、二つ以上のオイル室５・６が複数のオイル通路７・９ａ・９ｂ・９ｃ・９ｄ・９ｅ・９ｆにより連通状態となる。また、リリーフ弁８・１０は一方向のオイルの流れを許容する。【選択図】図１
2017026096.tif 000002
【特許請求の範囲】
【請求項１】
シリンダー内がピストンにより二つ以上のオイル室に仕切られるオイルダンパーであって、
前記二つのオイル室を連通可能で、前記ピストンの移動に伴って順次閉鎖および／または解放可能な複数のオイル通路を備えることを特徴とするオイルダンパー。
【請求項２】
前記複数のオイル通路に、任意の性能を持つリリーフ弁をそれぞれ備えることを特徴とする請求項１に記載のオイルダンパー。
【請求項３】
前記ピストンの前記シリンダー内の中立位置において、前記二つ以上のオイル室が前記複数のオイル通路により連通状態となることを特徴とする請求項１または２に記載のオイルダンパー。
【請求項４】
前記ピストンの前記シリンダー内の一方側への移動位置において、前記二つ以上のオイル室が前記複数のオイル通路により連通状態で、
前記ピストンの前記シリンダー内の中立位置から前記一方側への移動の過程で前記複数のオイル通路が順次閉鎖されることを特徴とする請求項１または２に記載のオイルダンパー。
【請求項５】
前記ピストンの前記シリンダー内の中立位置から前記一方側への移動の過程において、前記複数のオイル通路が順次閉鎖されてから、前記二つ以上のオイル室が前記複数のオイル通路により連通状態となることを特徴とする請求項４に記載のオイルダンパー。
【請求項６】
前記リリーフ弁は一方向のオイルの流れを許容することを特徴とする請求項１から５のいずれか一項に記載のオイルダンパー。
【発明の詳細な説明】
【技術分野】
【０００１】
本発明は、オイルダンパーに関する。
【背景技術】
【０００２】
特許文献１において、オイルダンパーの連通部の断面積を可変とすることで、減衰力が変化する提案がされている。
すなわち、そのオイルダンパーは、ピストンに形成され一方向弁を有する流路と、ピストンに形成されオイルが流量調整弁を流れることにより減衰力を発揮し、オイルの流れ量で減衰力が上下する流路と、シリンダー内部に形成されピストン外周との間の溝と、を含むオイル通過部の断面積が、伸長方向の大ストローク時になるにつれ相対的に小さくなるように可変とすることで、伸長方向の大ストローク時にのみ減衰力が急激に大きくなるよう減衰力が変化する。
【先行技術文献】
【特許文献】
【０００３】
【特許文献１】特開２０１５−１０６５０号公報
【発明の概要】
【発明が解決しようとする課題】
【０００４】
しかし、特許文献１のオイルダンパーでは、ピストンに一方向弁と減衰力を発生する流量調整弁を個別に組み込んで、シリンダー内部に溝を形成するなど、機構的に複雑なものになるとともに、一方向弁や流量調整弁の性能調整はできないため、個別対応的な性能変更や、微細な性能コントロールはできない。
【０００５】
本発明の課題は、オイルダンパーにおいて、簡単な構造により減衰力を可変とすることである。
【課題を解決するための手段】
【０００６】
以上の課題を解決するため、請求項１に記載の発明は、
シリンダー内がピストンにより二つ以上のオイル室に仕切られるオイルダンパーであって、
前記二つのオイル室を連通可能で、前記ピストンの移動に伴って順次閉鎖および／または解放可能な複数のオイル通路を備えることを特徴とする。
【０００７】
請求項２に記載の発明は、
請求項１に記載のオイルダンパーであって、
前記複数のオイル通路に、任意の性能を持つリリーフ弁をそれぞれ備えることを特徴とする。
【０００８】
請求項３に記載の発明は、
請求項１または２に記載のオイルダンパーであって、
前記ピストンの前記シリンダー内の中立位置において、前記二つ以上のオイル室が前記複数のオイル通路により連通状態となることを特徴とする。
【０００９】
請求項４に記載の発明は、
請求項１または２に記載のオイルダンパーであって、
前記ピストンの前記シリンダー内の一方側への移動位置において、前記二つ以上のオイル室が前記複数のオイル通路により連通状態で、
前記ピストンの前記シリンダー内の中立位置から前記一方側への移動の過程で前記複数のオイル通路が順次閉鎖されることを特徴とする。
【００１０】
請求項５に記載の発明は、
請求項４に記載のオイルダンパーであって、
前記ピストンの前記シリンダー内の中立位置から前記一方側への移動の過程において、前記複数のオイル通路が順次閉鎖されてから、前記二つ以上のオイル室が前記複数のオイル通路により連通状態となることを特徴とする。
【００１１】
請求項６に記載の発明は、
請求項２から５のいずれか一項に記載のオイルダンパーであって、
前記リリーフ弁は一方向のオイルの流れを許容することを特徴とする。
【発明の効果】
【００１２】
本発明によれば、オイルダンパーにおいて、簡単な構造により減衰力を可変とすることができる。
【図面の簡単な説明】
【００１３】
【図１】本発明を適用したオイルダンパーの一実施形態の構成を示すもので、ストローク量に比例して減衰力が大きくなるオイルダンパーを示した断面図である。
【図２】図１のオイルダンパーの建物への使用例を示した概略図である。
【図３】実施形態２を示すもので、ストローク量に比例して減衰力が小さくなるオイルダンパーを示した断面図である。
【図４】図３のオイルダンパーの建物への使用例を示した概略図である。
【発明を実施するための形態】
【００１４】
以下、図を参照して本発明を実施するための形態を詳細に説明する。
（実施形態１）
図１は本発明を適用したオイルダンパーの一実施形態の構成としてストローク量に比例して減衰力が大きくなるオイルダンパー１を示したもので、２はシリンダー、３はピストン、４はピストンロッド、５・６はオイル室、７はピストン３のオイル通路、８はリリーフ弁、９は外部でバイパスするオイル通路、１０はリリーフ弁である。
【００１５】
図示のように、オイルダンパー１は、シリンダー２内が、ピストンロッド４を一体に有するピストン３により二つのオイル室５・６に仕切られている。
また、ピストン３にオイル通路７が形成されていて、このオイル通路７に一方向（図示では矢印Ａで示す左から右）のオイルの流れを許容するリリーフ弁８が設けられている。
さらに、シリンダー２には、外部でバイパスするオイル通路９が設けられている。
【００１６】
すなわち、外部でバイパスするオイル通路９は、図示例では、ピストン３のシリンダー２内の中立位置において、二つのオイル室５・６を、外部でバイパスして最短で連通する第１オイル通路９ａから、その外側で連通する第２オイル通路９ｂ、その外側で連通する第３オイル通路９ｃ、その外側で連通する第４オイル通路９ｄ、その外側で連通する第５オイル通路９ｅ、その外側で連通する最長の第６オイル通路９ｆまでの６本で構成される。
そして、これら第１から第６のオイル通路９ａ〜９ｆの各々に、一方向（図示では矢印Ａで示す左から右）のオイルの流れを許容するリリーフ弁１０がそれぞれ設けられている。
【００１７】
なお、外部でバイパスする第１から第６のオイル通路９ａ〜９ｆは、直角に曲がったコ字形状に図示したが、これはイメージであり、シリンダー２の外周に沿わせた直管や、ホースによる配管や、シリンダー２の外周壁内に形成してもよい。
【００１８】
次に作用を説明する。
【００１９】
先ず、図示のように、ピストン３のシリンダー２内の中立位置から外部でバイパスするオイル通路９（特に最短の第１オイル通路９ａ）の両端の範囲内において、左側に少し移動して、オイルダンパー１が小さく圧縮動作すると、左側のオイル室５からオイルが、ピストン３のオイル通路７及びリリーフ弁８を通って右側のオイル室６へオイルが流れ込むと同時に、外部でバイパスするオイル通路９（第１から第６のオイル通路９ａ〜９ｆ）及びリリーフ弁１０を通って右側のオイル室６へオイルが流れ込む。
すなわち、通常の使用範囲では、ピストン３のオイル通路７のリリーフ弁８と、外部でバイパスする第１から第６のオイル通路９ａ〜９ｆのリリーフ弁１０が機能して、設計通りの減衰力性能を発揮し、減衰力が小さい状態に保たれる。
【００２０】
次に、前述した通常の使用範囲を越えてピストン３が、矢印Ｂで示すように左側に大きく移動して、オイルダンパー１が大きく圧縮動作すると、外部でバイパスするオイル通路９（第１から第６のオイル通路９ａ〜９ｆ）の左端が順次閉鎖されていく。
すなわち、第１オイル通路９ａの左端がピストン３外周により閉鎖されてから、その第１オイル通路９ａの両端が右側のオイル室６に接続される。
従って、左側のオイル室５から右側のオイル室６へオイルが流れ込むオイル通路面積が、ピストン３のオイル通路７と、外部でバイパスする第２から第６のオイル通路９ｂ〜９ｆと減少して、減衰力が大きくなる。
【００２１】
さらに、ピストン３が左側に移動して、第２オイル通路９ｂの左端がピストン３外周により閉鎖されてから、その第２オイル通路９ｂの両端が右側のオイル室６に接続される。
従って、左側のオイル室５から右側のオイル室６へオイルが流れ込むオイル通路面積が、ピストン３のオイル通路７と、外部でバイパスする第３から第６のオイル通路９ｃ〜９ｆと減少して、減衰力がより大きくなる。
【００２２】
同様に、第３から第６のオイル通路９ｃ〜９ｆの左端がピストン３外周により順次閉鎖されてから（図示仮想線参照）、その第３から第６のオイル通路９ｃ〜９ｆの各々の両端が右側のオイル室６に順次接続される。
従って、左側のオイル室５から右側のオイル室６へオイルが流れ込むオイル通路面積が、ピストン３のオイル通路７と、外部でバイパスする第４から第６のオイル通路９ｄ〜９ｆと順次減少して、減衰力がより大きくなっていく。
【００２３】
そして、最終的には、左側のオイル室５から右側のオイル室６へオイルが流れ込むオイル通路面積が、ピストン３のオイル通路７のみとなって、減衰力が最も大きくなる。すなわち、減衰力が大きな状態となる。
【００２４】
このように、バイパスするオイル通路９（第１から第６のオイル通路９ａ〜９ｆ）の有効数が徐々に減少して、オイルダンパー１の圧縮動作時に減衰力が多段階（図示例では６段階）に高まっていく。
【００２５】
以上において、図面では省略したが、前述した通常の使用範囲を越えてピストン３が矢印Ｂと逆に右側に移動するオイルダンパー１の伸長動作に対応してさらに、ピストン３にオイル通路７が形成されるとともに、そのオイル通路７に一方向（図示では矢印Ａと逆に右から左）のオイルの流れを許容するリリーフ弁８が設けられている。
さらに、外部でバイパスするオイル通路９（第１から第６のオイル通路９ａ〜９ｆ）が設けられるとともに、その第１から第６のオイル通路９ａ〜９ｆの各々に、一方向（図示では矢印Ａと逆に右から左）のオイルの流れを許容するリリーフ弁１０がそれぞれ設けられている。
これにより、オイルダンパー１の伸長動作時にも減衰力が多段階（図示例では６段階）に大きくなっていく。
【００２６】
以上により、圧縮方向及び伸長方向ともにストロークが大きくなると徐々に減衰力が増加するオイルダンパー１が実現する。
【００２７】
以上のように、二つのオイル室５・６をバイパスする、リリーフ弁１０を有する複数のオイル通路９（第１から第６のオイル通路９ａ〜９ｆ）を設置し、ピストン３の移動に併せて、そのオイル通路９（第１から第６のオイル通路９ａ〜９ｆ）の数そのものが増減することで、オイルの移動量を制御して、減衰力を増減させる非常にシンプルな構成となっている。
【００２８】
なお、バイパスするオイル通路９の本数、接続位置、径及び長さ、並びにリリーフ弁１０の性能を、オイル通路９毎に設計でき、細かな要求仕様にも自在に対応可能である。
【００２９】
さらに、任意の性能を持つリリーフ弁１０を備えたオイル通路９の本数を増加させることにより、性能をより多段階に変化させることが可能となる。かつ、オイル通路９を接続させるネジ穴を、事前にシリンダー２外面に無数施工（未使用のネジ穴はボルト等で封鎖）しておけば、使用を開始した後も、自由に任意の性能を持つリリーフ弁１０を備えたオイル通路９の本数を任意に増加させることができる。また、使用を開始した後に、オイル通路９は容易に取り外すことが可能であり、ボルト等で封鎖することにより、いつでも自由に減衰力を設定し直すことが可能である。
【００３０】
以上、実施形態のオイルダンパー１によれば、シリンダー２内がピストン３により二つに仕切られるオイル室５・６を連通可能で、ピストン３の移動に伴って順次閉鎖可能な複数のオイル通路７・９ａ・９ｂ・９ｃ・９ｄ・９ｅ・９ｆを備える。
すなわち、複数のオイル通路７・９ａ・９ｂ・９ｃ・９ｄ・９ｅ・９ｆに、任意の性能を持つリリーフ弁８・１０をそれぞれ備えて、ピストン３のシリンダー２内の中立位置において、二つのオイル室５・６が複数のオイル通路７・９ａ・９ｂ・９ｃ・９ｄ・９ｅ・９ｆにより連通状態となり、リリーフ弁８・１０は一方向のオイルの流れを許容することで、簡単な構造によりオイルダンパー１の圧縮方向及び伸長方向ともに減衰力を多段階（７段階）に大きくすることができる。
【００３１】
そして、実施形態のオイルダンパー１は、圧縮方向及び伸長方向の大ストローク時に減衰力を上昇させ、衝突を抑止する必要のある場合、例えば、建物の免震層の衝突回避策として有効である。
【００３２】
図２はオイルダンパー１の建物への使用例を示したもので、２０は建物の基礎と躯体間の免震層、２１は免震装置である。
【００３３】
図示のように、建物の基礎と躯体間に免震装置２１を設置する免震層２０において、基礎上に設けた柱材２２と躯体下に設けた柱材２３との間にオイルダンパー１を水平に連結する。
【００３４】
このように、建物の免震層２０にオイルダンパー１を設置することで、大地震発生による圧縮方向及び伸長方向の大ストローク時に減衰力を上昇させて、免震層２０の衝突を回避することができる。
【００３５】
なお、オイルダンパー１は、建物の免震層２０に限らず、中間層に設置したり、２棟の間に配置してもよく、また、水平配置に限らず、垂直配置や、ブレース状の傾斜配置でもよい。
【００３６】
（実施形態２）
図３は実施形態２としてストローク量に比例して減衰力が小さくなるオイルダンパー３１を示したもので、３２はシリンダー、３３はピストン、３４はピストンロッド、３５・３６はオイル室、３７はピストン３３のオイル通路、３８はリリーフ弁、３９は外部でバイパスするオイル通路、４０はリリーフ弁である。
【００３７】
図示のように、オイルダンパー３１は、シリンダー３２内が、ピストンロッド３４を一体に有するピストン３３により二つのオイル室３５・３６に仕切られている。
また、ピストン３３にオイル通路３７が形成されていて、このオイル通路３７に一方向（図示では矢印Ａで示す左から右）のオイルの流れを許容するリリーフ弁３８が設けられている。
さらに、シリンダー３２には、外部でバイパスするオイル通路３９が設けられている。
【００３８】
すなわち、外部でバイパスするオイル通路３９は、図示例では、シリンダー３２の左側で、ピストン３３のシリンダー３２内の中立位置から仮想線で示した左側への移動位置において、二つのオイル室３５・３６を、外部でバイパスして連通する長い第１オイル通路３９ａと、その内側で連通する第２オイル通路３９ｂの２本で構成される。
そして、これら第１及び第２のオイル通路３９ａ・３９ｂの各々に、一方向（図示では矢印Ａで示す左から右）のオイルの流れを許容するリリーフ弁４０がそれぞれ設けられている。
【００３９】
さらに、外部でバイパスするオイル通路３９は、図示例では、シリンダー３２の右側にも、ピストン３３のシリンダー３２内の中立位置から右側への移動位置において、二つのオイル室３５・３６を、外部でバイパスして連通する長い第１オイル通路３９ａと、その内側で連通する短い第２オイル通路３９ｂの２本で構成される。
そして、これら第１及び第２のオイル通路３９ａ・３９ｂの各々に、一方向（図示では矢印Ｃで示す右から左）のオイルの流れを許容するリリーフ弁４０がそれぞれ設けられている。
【００４０】
ここで、図面では省略したが、前述した通常の使用範囲を越えてピストン３３が矢印Ｂと逆に右側に移動するオイルダンパー３１の伸長動作に対応してさらに、ピストン３３にオイル通路３７が形成されるとともに、そのオイル通路３７に一方向（図示では矢印Ｃで示す右から左）のオイルの流れを許容するリリーフ弁３８が設けられている。
【００４１】
なお、外部でバイパスする第１及び第２のオイル通路３９ａ・３９ｂは、直角に曲がったコ字形状に図示したが、これはイメージであり、シリンダー３２の外周に沿わせた直管や、ホースによる配管や、シリンダー３２の外周壁内に形成してもよい。また、その接続位置はシリンダー３２の側面でも良い。
【００４２】
次に作用を説明する。
【００４３】
先ず、図示のように、ピストン３３のシリンダー３２内の中立位置から外部でバイパスする左右のオイル通路３９（特に長い第１オイル通路３９ａ）間の範囲内において、左側に少し移動して、オイルダンパー３１が小さく圧縮動作すると、左側のオイル室３５からオイルが、ピストン３３のオイル通路３７及びリリーフ弁３８を通って右側のオイル室３６へオイルが流れ込む。
すなわち、通常の使用範囲では、ピストン３３のオイル通路３７のリリーフ弁３８のみが機能して、設計通りの減衰力性能を発揮し、減衰力の大きな状態に保たれる。
【００４４】
次に、前述した通常の使用範囲を越えてピストン３３が、矢印Ｂで示すように左側に大きく移動して、オイルダンパー３１が大きく圧縮動作すると、外部左側でバイパスするオイル通路３９（第１及び第２のオイル通路３９ａ・３９ｂ）の右端が順次閉鎖されていく。
すなわち、第１オイル通路３９ａの右端がピストン３３外周により閉鎖されてから、その第１オイル通路３９ａの右端が右側のオイル室３６に接続される。
従って、左側のオイル室３５から右側のオイル室３６へオイルが流れ込むオイル通路面積が、ピストン３３のオイル通路３７と、外部左側でバイパスする第１オイル通路３９ａと増加して、減衰力が小さくなる。
【００４５】
さらに、ピストン３３が左側に移動して、第２オイル通路３９ｂの右端がピストン３３外周により閉鎖されてから（図示仮想線参照）、その第２オイル通路３９ｂの右端が右側のオイル室３６に接続される。
従って、左側のオイル室３５から右側のオイル室３６へオイルが流れ込むオイル通路面積が、ピストン３３のオイル通路３７と、外部左側でバイパスする第１及び第２のオイル通路３９ａ・３９ｂと増加して、減衰力がより小さくなる。
【００４６】
ピストン３３の移動方向が逆転すると、左側のオイル室３５と右側のオイル室３６をバイパスしていた第１及び第２のオイル通路３９ａ・３９ｂが順次閉鎖され、第１及び第２のオイル通路３９ａ・３９ｂの右側を越えて移動すると、通常の使用範囲となり、設計通りの大きな減衰力に戻る。
【００４７】
このように、オイルダンパー３１のピストン３３のストロークが大きくなると、徐々に減衰力が小さくなり、すなわち、外部左側でバイパスするオイル通路３９（第１及び第２のオイル通路３９ａ・３９ｂ）の有効数が徐々に増加して、オイルダンパー３１の圧縮動作時に減衰力が多段階（図示例では２段階）に小さくなる。
【００４８】
また、前述した通常の使用範囲を越えてピストン３３が、矢印Ｂと逆の右側に大きく移動して、オイルダンパー３１が大きく伸長動作すると、外部右側でバイパスするオイル通路３９（第１及び第２のオイル通路３９ａ・３９ｂ）の左端が順次閉鎖されていく。
すなわち、第１オイル通路３９ａの左端がピストン３３外周により閉鎖されてから、その第１オイル通路３９ａの左端が左側のオイル室３５に接続される。
従って、右側のオイル室３６から左側のオイル室３５へオイルが流れ込むオイル通路面積が、ピストン３３のオイル通路３７と、外部右側でバイパスする第１オイル通路３９ａと増加して、減衰力が小さくなる。
【００４９】
さらに、ピストン３３が右側に移動して、第２オイル通路３９ｂの左端がピストン３３外周により閉鎖されてから、その第２オイル通路３９ｂの左端が左側のオイル室３５に接続される。
従って、右側のオイル室３６から左側のオイル室３５へオイルが流れ込むオイル通路面積が、ピストン３３のオイル通路３７と、外部右側でバイパスする第１及び第２のオイル通路３９ａ・３９ｂと増加して、減衰力がより小さくなる。
【００５０】
このように、オイルダンパー３１のピストン３３のストロークが大きくなると、徐々に減衰力が小さくなり、すなわち、外部右側でバイパスするオイル通路３９（第１及び第２のオイル通路３９ａ・３９ｂ）の有効数が徐々に増加して、オイルダンパー３１の伸長動作時に減衰力が多段階（図示例では２段階）に小さくなる。
【００５１】
以上により、圧縮方向及び伸長方向ともにストロークが大きくなると徐々に減衰力が小さくなるオイルダンパー３１が実現する。
【００５２】
以上のように、二つのオイル室３５・３６を外部左右で各々バイパスする、リリーフ弁４０を有する複数のオイル通路３９（第１及び第２のオイル通路３９ａ・３９ｂ）を設置し、ピストン３３の移動に併せて、そのオイル通路３９（第１及び第２のオイル通路３９ａ・３９ｂ）の数そのものが増減することで、オイルの移動量を制御して、減衰力を増減させる非常にシンプルな構成となっている。
【００５３】
なお、バイパスするオイル通路３９の本数、接続位置、径及び長さ、並びにリリーフ弁４０の性能を、オイル通路３９毎に設計でき、細かな要求仕様にも自在に対応可能である。
【００５４】
さらに、任意の性能を持つリリーフ弁４０を備えたオイル通路３９の本数を増加させることにより、性能をより多段階に変化させることが可能となる。かつ、オイル通路３９を接続させるネジ穴を、事前にシリンダー３２外面に無数施工（未使用のネジ穴はボルト等で封鎖）しておけば、使用を開始した後も、自由に任意の性能を持つリリーフ弁４０を備えたオイル通路３９の本数を任意に増加させることができる。また、使用を開始した後に、オイル通路３９は容易に取り外すことが可能であり、ボルト等で封鎖することにより、いつでも自由に減衰力を設定し直すことが可能である。
【００５５】
以上、実施形態２のオイルダンパー３１によれば、ピストン３３のシリンダー３２内の一方側と他方側への移動位置において、二つのオイル室３５・３６が複数のオイル通路３７・３９ａ・３９ｂにより連通状態となり、その複数のオイル通路３７・３９ａ・３９ｂに、一方向のオイルの流れを許容するリリーフ弁３８・４０をそれぞれ備えることで、簡単な構造によりオイルダンパー３１の圧縮方向及び伸長方向ともに減衰力を多段階（３段階）に低くすることができる。
【００５６】
そして、実施形態２のオイルダンパー３１は、圧縮方向及び伸長方向の大ストローク時に建物躯体（特に柱）へ過度の反力が作用するのを抑止する、すなわち、オイルダンパー３１の減衰力を低下させる必要のある場合、例えば、建物上部構造の制震ダンパーとして有効である。
【００５７】
図４はオイルダンパー３１の建物への使用例を示したもので、図示のように、建物上部構造において、柱と柱の間にオイルダンパー３１をブレース状に傾斜配置して制震ダンパーとすることで、大地震発生による圧縮方向及び伸長方向の大ストローク時に柱へ過度の反力が作用するのを抑止することができる。
【００５８】
なお、オイルダンパー３１は、建物上部構造に限らず、２棟の間に配置してもよく、また、ブレース状の傾斜配置に限らず、水平配置や、垂直配置でもよい。
【００５９】
（変形例）
以上の実施形態においては、ピストンにオイル通路及びリリーフ弁を設けたが、本発明はこれに限定されるものではなく、ピストンにはオイル通路及びリリーフ弁がなくてもよい。
また、シリンダー及びピストンの形状と厚み、オイル通路の形状及び本数等も任意であり、その他、具体的な細部構造等についても適宜に変更可能であることは勿論である。
さらに、本発明のオイルダンパーは、設置する総ての建物や装置に対して有効であり、設置場所等を問わない。
さらに、オイル通路の接続位置の違いにより、減衰力を大きくする場合と小さくする場合とに分けて説明を行ったが、接続位置を詳細に設計することにより、ある任意のストローク位置で減衰力を大きくし、別の任意のストローク位置で減衰力を小さくするなど、自由に意図した性能を保持するオイルダンパーが製作可能となる。
【符号の説明】
【００６０】
１  オイルダンパー
２  シリンダー
３  ピストン
４  ピストンロッド
５・６  二つのオイル室
７  ピストン３のオイル通路
８  リリーフ弁
９  外部でバイパスするオイル通路
９ａ  第１オイル通路
９ｂ  第２オイル通路
９ｃ  第３オイル通路
９ｄ  第４オイル通路
９ｅ  第５オイル通路
９ｆ  第６オイル通路
１０  リリーフ弁
２０  免震層
２１  免震装置
２２・２３  柱材
３１  オイルダンパー
３２  シリンダー
３３  ピストン
３４  ピストンロッド
３５・３６  二つのオイル室
３７  ピストン３３のオイル通路
３８  リリーフ弁
３９  外部でバイパスするオイル通路
３９ａ  第１オイル通路
３９ｂ  第２オイル通路
４０  リリーフ弁
【図１】
2017026096.tif 000003
【図２】
2017026096.tif 000004
【図３】
2017026096.tif 000005
【図４】
2017026096.tif 000006